(57)【要約】【課題】媒体処理にかかる時間の増加を抑えることが可能な媒体処理装置を提供する。【解決手段】媒体処理装置は、媒体を鑑別する鑑別部と、前記媒体を搬送する搬送路と、前記媒体の搬送先を決定し、前記搬送路を制御する制御部と、を備え、前記鑑別部により所定の鑑別結果が取得された場合には、前記制御部は前記搬送路の停止を指示し、前記鑑別部は前記媒体の再鑑別を行い、前記制御部は、前記再鑑別の結果に基づき、前記媒体の搬送先を決定する。【選択図】図４
2016081170.tif 000002
【特許請求の範囲】
【請求項１】
媒体を鑑別する鑑別部と、
前記媒体を搬送する搬送路と、
前記媒体の搬送先を決定し、前記搬送路を制御する制御部と、
を備え、
前記鑑別部により所定の鑑別結果が取得された場合には、前記制御部は前記搬送路の停止を指示し、前記鑑別部は前記媒体の再鑑別を行い、前記制御部は、前記再鑑別の結果に基づき、前記媒体の搬送先を決定する、媒体処理装置。
【請求項２】
前記再鑑別は、前記搬送路が停止を完了するまでの間に行われる、請求項１に記載の媒体処理装置。
【請求項３】
前記鑑別は、前記鑑別部が、前記媒体を読み取り、それにより取得した読取情報を処理することにより行われ、
前記再鑑別は、前記鑑別部が、既に取得した前記読取情報を再処理することにより行われる、請求項１又は２に記載の媒体処理装置。
【請求項４】
前記所定の鑑別結果は、前記鑑別部が前記鑑別を所定時間内に完了できなかったことを示す鑑別結果を含む、請求項３に記載の媒体処理装置。
【請求項５】
前記媒体処理装置は、前記媒体を集積する集積部をさらに備え、
前記鑑別部により前記所定の鑑別結果を取得した場合には、前記媒体が前記集積部を通過することなく、前記再鑑別が行われる、請求項１から４のいずれか１項に記載の媒体処理装置。
【請求項６】
前記鑑別部にそれぞれ接続され、且つ、前記媒体を集積する第１及び第２の集積部を備え、
前記制御部が前記媒体の搬送先を前記第１の集積部と決定した場合には、前記制御部は、前記搬送路の搬送方向を第１の方向に制御し、
前記制御部が前記媒体の搬送先を前記第２の集積部と決定した場合には、前記制御部は、前記搬送路の前記搬送方向を第２の方向に制御する、請求項１から５のいずれか１項に記載の媒体処理装置。
【発明の詳細な説明】
【技術分野】
【０００１】
本発明は、媒体処理装置に関する。
【背景技術】
【０００２】
金融機関（消費者金融、銀行など）に設置される紙幣処理装置は、顧客との取引内容に応じて、顧客に紙幣や硬貨等の現金を入金させる入金取引や、顧客へ現金を出金する出金取引等の各種取引を行うように構成される。このような紙幣処理装置は、紙幣を鑑別する鑑別部と、紙幣を搬送する搬送路と、鑑別部の鑑別結果に基づき搬送先を決定し、且つ、搬送路を制御する紙幣制御部と、搬送路により搬送された紙幣を集積する集積部とを有する。例えば、入金処理においては、顧客から入金された紙幣が鑑別部内を搬送される間に鑑別部がその紙幣を鑑別し、その鑑別結果に基づいて紙幣制御部が搬送先を決定し、搬送路が紙幣制御部によって決定された搬送先の集積部へと紙幣を搬送する。
【０００３】
上記の紙幣処理装置においては、鑑別部が正常な紙幣として認識することができない紙幣や、所定時間内に鑑別を完了させることができなかった紙幣については、紙幣処理装置に受付不可紙幣、もしくは、利用すべきで無いと判断されるリジェクト紙幣と鑑別し、再鑑別を行うことなく、顧客に返却、もしくは、リジェクト庫に収納していた。リジェクト庫に収納された紙幣はその後の紙幣処理で用いられることはない。従って、リジェクト紙幣が増加してしまうと、その後の紙幣処理に使用できる紙幣が不足してしまうこととなる。そこで、リジェクト紙幣を減らすために、下記の特許文献１においては、一度リジェクト紙幣と鑑別された紙幣を鑑別部に再度戻し、再鑑別を行い、これらの紙幣を受入可能紙幣もしくは利用可能紙幣として救済する。
【先行技術文献】
【特許文献】
【０００４】
【特許文献１】特開平１０−３０２１１２号公報
【発明の概要】
【発明が解決しようとする課題】
【０００５】
上記に説明したような紙幣処理装置といった媒体等を処理する媒体処理装置においては、短時間で媒体を処理することが求められる。従って、例えば、上記の特許文献１の紙幣処理装置のように、媒体の搬送先を決定するために媒体の再鑑別を行った場合であっても、媒体処理時間の増加を抑えることが求められる。
【０００６】
そこで、本発明は、上記問題に鑑みてなされたものであり、本発明の目的とするところは、媒体処理にかかる時間の増加を抑えることが可能な、新規かつ改良された媒体処理装置を提供することにある。
【課題を解決するための手段】
【０００７】
上記課題を解決するために、本発明のある観点によれば、媒体を鑑別する鑑別部と、前記媒体を搬送する搬送路と、前記媒体の搬送先を決定し、前記搬送路を制御する制御部と、を備え、前記鑑別部により所定の鑑別結果が取得された場合には、前記制御部は前記搬送路の停止を指示し、前記鑑別部は前記媒体の再鑑別を行い、前記制御部は、前記再鑑別の結果に基づき、前記媒体の搬送先を決定する、媒体処理装置が提供される。
【０００８】
また、前記再鑑別は、前記搬送路が停止を完了するまでの間に行われることができる。
【０００９】
また、前記鑑別は、前記鑑別部が前記媒体を読み取り、それにより取得した読取情報を前記鑑別部が処理することにより行われ、前記再鑑別は、前記鑑別部が、既に取得した前記読取情報を再処理することにより行われることができる。
【００１０】
また、前記所定の鑑別結果は、前記鑑別部が前記鑑別を所定時間内に完了できなかったことを示す鑑別結果を含むことができる。
【００１１】
また、前記媒体処理装置は、前記媒体を集積する集積部をさらに備え、前記鑑別部により前記所定の鑑別結果を取得した場合には、前記媒体が前記集積部を通過することなく、前記再鑑別が行われることができる。
【００１２】
また、前記媒体処理装置は、前記鑑別部にそれぞれ接続され、且つ、前記媒体を集積する第１及び第２の集積部を備え、前記制御部が前記媒体の搬送先を前記第１の集積部と決定した場合には、前記制御部は、前記搬送路の搬送方向を第１の方向に制御し、前記制御部が前記媒体の搬送先を前記第２の集積部と決定した場合には、前記制御部は、前記搬送路の前記搬送方向を第２の方向に制御することができる。
【発明の効果】
【００１３】
以上説明したように本発明によれば、媒体処理にかかる時間の増加を抑えることが可能
である。
【図面の簡単な説明】
【００１４】
【図１】本発明の実施形態に係る紙幣処理装置の外観を示す斜視図である。
【図２】本発明の実施形態に係る紙幣入出金機の断面図である。
【図３】本発明の実施形態に係る紙幣処理のフローを説明するための図（その１）である。
【図４】本発明の実施解体に係る紙幣処理のフローを説明するための図（その２）である。
【図５】本発明の実施形態に係る紙幣入出金機の鑑別部及び搬送路の制御タスクの図である。
【図６】本発明の実施解体に係る紙幣処理のフローを説明するための図（その３）である。
【図７】本発明の実施解体に係る紙幣処理のフローを説明するための図（その４）である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
［１．紙幣処理装置１の全体構成］
図１は、本発明の実施形態としての紙幣処理装置１の外観を示す斜視図である。紙幣処理装置１は、例えば銀行などの金融機関に配置されており、顧客の操作に応じて入金、出金、振込等の各種取引を行うための装置である。以下の説明においては、紙幣処理装置１の顧客が対峙する側を紙幣処理装置１の前とし、その反対側を紙幣処理装置１の後とする。
【００１７】
図１に示すように、紙幣処理装置１は箱状の筐体１２で構成されている。さらに、筐体１２の前側には、入出金部１３、カード投入口１４、レシート発行口１５、及び操作表示部１６を有する。
【００１８】
入出金部１３は、顧客による紙幣の入金口、および顧客への紙幣の出金口としての機能を有する。また、入出金部１３は、シャッタ（図示せず）を駆動することにより開放又は閉鎖するように構成されている。カード投入口１４は、キャッシュカード等の各種カードが挿入または排出される部分である。カード投入口１４の奥には、各種カードに記録された口座番号等の読み取りを行うカード処理部（図示せず）が設けられている。レシート発行口１５は、取引処理の終了時に取引内容等を印字したレシートを発行する部分である。レシート発行口１５の奥には、レシートに取引内容等を印字するレシート処理部（図示せず）が設けられている。
【００１９】
操作表示部１６は、操作画面を表示する表示部、および顧客操作を検出する顧客操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、顧客操作部としての機能は例えばタッチパネルにより実現される。
【００２０】
筐体１２の内部には、紙幣処理装置１全体を統括制御する主制御部１７や、紙幣に関する種々の処理を行う紙幣入出金機１８が設けられている。主制御部１７は、図示しないＣＰＵ（Ｃｅｎｔｒａｌ  Ｐｒｏｃｅｓｓｉｎｇ  Ｕｎｉｔ）を中心に構成されており、図示しないＲＯＭ（Ｒｅａｄ  Ｏｎｌｙ  Ｍｅｍｏｒｙ）やフラッシュメモリ等から所定のプログラムを読み出して実行することにより、入金処理や出金処理等の種々の処理を行う。また主制御部１７は、内部にＲＡＭ（Ｒａｎｄｏｍ  Ａｃｃｅｓｓ  Ｍｅｍｏｒｙ）、ハードディスクドライブやフラッシュメモリ等でなる記憶部（図示せず）を有しても良く、この記憶部に種々の情報を記憶させることができる。
【００２１】
［２．紙幣入出金機１８の構成］
図２に、紙幣入出金機１８の断面図を示す。紙幣入出金機１８はその内部に、媒体としての紙幣に関する種々の処理を行うための複数のブロックが組み込まれている。この図においては、紙幣処理装置１の前側及び後側と対応するように、図中右側が紙幣入出金機１８の前側となり、図中左側が紙幣入出金機１８の後側となる。
【００２２】
紙幣入出金機１８には、紙幣入出金機１８の全体を統括制御する紙幣制御部１０１と、顧客との間で紙幣を授受する入出金部１３と、紙幣を各部へ搬送する搬送部１０３と、紙幣を鑑別する鑑別部１０４と、紙幣を一時的に収納する一時保留部１０５と、偽券と鑑別された紙幣を収納する偽券庫１０６と、再利用すべきでない紙幣であるリジェクト紙幣を収納するリジェクト庫１０７と、再利用可能な紙幣を収納する５個の紙幣収納庫１０８とが設けられている。なお、紙幣収納庫１０８の数は５個に限定されない。
【００２３】
紙幣制御部１０１は、主制御部１７と同様、図示しないＣＰＵを中心に構成されており、図示しないＲＯＭやフラッシュメモリ等から所定のプログラムを読み出して実行することにより、紙幣の搬送先を決定する処理や、搬送路４０１の制御等の各部の動作を制御する処理等、種々の処理を行うことができる。また、紙幣制御部１０１は、内部にＲＡＭ及びフラッシュメモリ等でなる記憶部（図示せず）を有してもよく、この記憶部に種々の情報を記憶させることができる。
【００２４】
入出金部１３は、紙幣入出金機１８の図中右側の上方に位置している。この入出金部１３は、顧客から入金された紙幣及び顧客へ出金すべき紙幣を収容する収容器２０１を内部に有しており、シャッタ２０２が駆動することにより、収容器２０１が紙幣入出金機１８の外部へ開放又は閉鎖するように構成されている。
【００２５】
入出金部１３の下方には、入出金搬送路３０２が設けられている。入出金搬送路３０２は、紙幣制御部１０１の制御に基づき、取込モード及び排出モードといった２種類の動作モードに切り替えられ動作する。詳細には、入出金搬送路３０２は、取込モードの際には、収容器２０１内の紙幣を１枚ずつに分離して所定の時間間隔毎に下方へ送り出し、搬送部１０３に受け渡す。これにより、搬送部１０３は紙幣の間隔を所定の間隔に維持しながら紙幣を搬送することができる。また、入出金搬送路３０２は、排出モードの際には、搬送部１０３から受けとった紙幣を収容器２０１内へ排出する。
【００２６】
搬送部１０３は紙幣入出金機１８の中段全体を貫くように位置しており、細長い形状となっている。この搬送部１０３内には、紙幣が搬送される搬送路４０１と、複数のローラ４０２と、紙幣を案内する切替部４０３とが適宜配置されている。なお、搬送路４０１は、後で説明する鑑別部１０４を貫くように設けられており、鑑別部１０４内での紙幣の搬送も行う。また、各ローラ４０２は、搬送路４０１を挟んで対向するように配置され、紙幣制御部１０１により制御される。各ローラ４０２が回転することにより、搬送路４０１が主に図の左右方向に移動し、紙幣を搬送する。
【００２７】
さらに、各切替部４０３は、ブレードと呼ばれる部品５０１及びその周囲に配置された複数のローラ５０２により構成される。部品５０１は、楔形に形成されており、回転して傾斜方向を変化させることで、紙幣の搬送方向を切り替えることができる。詳細には、紙幣制御部１０１は、切替部４０３の部品５０１を各紙幣の搬送先に応じて傾斜方向を変化させるとともに、各ローラ５０２を所定の回転方向へ回転させることにより、紙幣の搬送方向を適宜切り替えて所望の搬送先へ搬送することができる。
【００２８】
鑑別部１０４は、その内部に複数種類のセンサが組み込まれており、搬送される紙幣の金種、真偽、正損（損傷しているか否か）を読み取り、その読取情報を用いて鑑別部１０４は紙幣の鑑別を行うように構成される。さらに、鑑別部１０４は、鑑別の結果を紙幣制御部１０１へ通知することができる。また、先に説明したように、鑑別部１０４内での紙幣の搬送のため、搬送部１０３の搬送路４０１が鑑別部１０４内を貫いている。鑑別部１０４内には、図の左右方向に搬送路４０１が設けられており、この搬送路４０１に沿って図の左から右の順にイメージセンサ６０３と、真偽センサ６０４とが配置されている。鑑別部１０４は、図示しないＣＰＵや図示しないＲＯＭやフラッシュメモリ等を備え、この図示しないＲＯＭやフラッシュメモリ等から所定のプログラムを読み出して実行することにより紙幣の鑑別を行うことができる。また、鑑別部１０４の内部には、ＲＡＭ及びフラッシュメモリ等でなる記憶部（図示せず）を有しており、金種ごとの画像データ等を記憶することができる。
【００２９】
イメージセンサ６０３は、搬送路４０１を挟んで対向する２個の撮像素子（図示せず）を有している。この撮像素子は、搬送路４０１を搬送される紙幣の両面をそれぞれ撮像して画像データを生成する。鑑別部１０４は、その記憶部（図示せず）にあらかじめ記憶している金種ごとの画像データと生成された画像データとを比較することにより、各紙幣の金種や損傷の程度等を判別し、その判別に基づいて紙幣を鑑別する。鑑別部１０４により得られた鑑別の結果は紙幣制御部１０１へ通知される。
【００３０】
真偽センサ６０４は、例えば磁気センサからなり、搬送路４０１上を搬送される紙幣の磁気を検知する。鑑別部１０４は、真偽センサ６０４から供給された検知結果を基に、紙幣が真正なもの（いわゆる真券）又は偽造されたもの（いわゆる偽券）の何れであるかを鑑別する。鑑別部１０４により得られた鑑別の結果は紙幣制御部１０１へ通知される。
【００３１】
偽券庫１０６は、搬送部１０３の図中左上に設けられており、内部に紙幣を収納する。詳細には、偽券庫１０６は、鑑別部１０４により偽造紙幣と鑑別された紙幣が搬送部１０３により搬送されてくると、偽造紙幣と鑑別された紙幣を内部に収納する。
【００３２】
一時保留部１０５は、紙幣の分離と収納との両方の機能を有する。例えば、一時保留部１０５は、入出金部１３から入金され、鑑別部１０４及び紙幣制御部１０１により正常と鑑別された紙幣を一時的に収納する。一時保留部１０５に収納された紙幣は、入金した紙幣の計上などが確定した場合など、取引が成立した場合に繰り出され、紙幣収納庫１０８に搬送される。
【００３３】
リジェクト庫１０７は、内部に紙幣を収納する空間を有している。このリジェクト庫１０７は、鑑別部１０４により損傷の程度が大きく再利用すべきで無い紙幣として鑑別された紙幣が搬送部１０３により搬送されて来ると、当該紙幣をリジェクト紙幣として内部に収納する。
【００３４】
リジェクト庫１０７の図中左側には、複数の紙幣収納庫１０８が設けられている。各紙幣収納庫１０８は、何れも同様に構成されており、内部に紙幣を収納する空間を有している。例えば、各紙幣収納庫１０８には、それぞれ収納すべき紙幣の金種があらかじめ設定されている。この紙幣収納庫１０８は、鑑別部１０４により損傷の程度が小さく再利用が可能である紙幣と鑑別された紙幣が、搬送部１０３により搬送されてくると、金種に応じて当該紙幣を内部に収納する。また紙幣収納庫１０８は、紙幣制御部１０１から紙幣を繰り出す指示を受け付けると、収納している紙幣を１枚ずつに分離して繰り出し、搬送部１０３に受け渡す。
【００３５】
［３．入金処理及び出金処理］
次に、本実施形態にかかる紙幣処理装置１における紙幣２０の入金処理及び出金処理について、図３から図７を用いて説明する。図３、図４、図６、及び図７は、本実施形態に係る紙幣処理の処理フローを示した図であり、図５は、本実施形態に係る紙幣入出金機の鑑別部１０４及び搬送路４０１の制御タスク８０１、８０２、８１１、８１２を示した図である。
【００３６】
［３−１．入金処理］
＜入金計数処理＞
顧客が紙幣処理装置１へ紙幣を入金する入金処理は、紙幣制御部１０１の制御に基づき、入金された紙幣の金種等を鑑別しながら枚数を計数する入金計数処理と、その次に行われる、紙幣を適切な収納箇所へ搬送して収納する入金収納処理とからなる。
【００３７】
図３を参照しながら入金計数処理を説明する。以下の説明においては、図中矢印Ａで示される方向は、図中の収容器２０１から一時保留部１０５へ向かう方向を示し、図中矢印Ｂで示される方向は、図中の一時保留部１０５から収容器２０１へ向かう方向を示す。
【００３８】
主制御部１７は、顧客により操作表示部１６を介して入金処理を開始する旨の操作入力を受け付けると、入金計数処理を開始し、入出金部１３のシャッタ２０２を開いて収容器２０１内へ紙幣２０を投入させる。次に、図３の上段に示されるように、紙幣制御部１０１は、操作表示部１６を介して紙幣２０の取り込みを開始する操作入力を受け付けると、シャッタ２０２を閉じ、入出金搬送路３０２を取込モードで動作させることにより、収容器２０１内の紙幣２０を１枚ずつに分離して取り込み、搬送部１０３の搬送路４０１へ受け渡す。
【００３９】
そして、図３の中段に示されるように、搬送路４０１は、紙幣２０を図中矢印Ａで示される方向に鑑別部１０４へ搬送する。次に、紙幣２０が紙幣鑑別起動タイミング位置Ｐ７０１に到達すると、鑑別部１０４は紙幣２０の読み取りを開始する。詳細には、鑑別部１０４の内部で紙幣２０が矢印Ａで示される方向へ搬送されている間、鑑別部１０４は、真偽センサ６０４とイメージセンサ６０３とを用いて紙幣２０を順次読み取り、読取情報を取得する。なお、鑑別部１０４の各センサ６０３、６０４は、各紙幣２０が所定の間隔を持って順次搬送されるため、紙幣２０を１枚ずつ読み取ることが可能である。
【００４０】
鑑別部１０４は、その内部にあるセンサ６０３、６０４で読み取った読取情報を処理して、紙幣２０について、正常な紙幣として認識でき以降の処理を継続できる入金受入紙幣であるか、或いは正常な紙幣として認識できないため一度顧客に返却すべき入金リジェクト紙幣であるかを鑑別する。そして、紙幣２０が紙幣鑑別結果取得タイミング位置Ｐ７０２に到達すると、鑑別部１０４は鑑別結果を紙幣制御部１０１に通知する。なお、紙幣２０が紙幣鑑別起動タイミング位置Ｐ７０１から紙幣鑑別結果取得タイミング位置Ｐ７０２に到達するまでの間である所定の時間内に鑑別部１０４が鑑別を完了することができない場合については、鑑別部１０４は、当該紙幣２０を入金リジェクト紙幣であると鑑別する。
【００４１】
通知を受けた紙幣制御部１０１は、鑑別部１０４による鑑別結果に基づいて紙幣２０の搬送先を決定する。この際、紙幣制御部１０１は、決定した搬送先を紙幣制御部１０１の有する記憶部に記憶する。
【００４２】
鑑別部１０４により入金受入可能な紙幣と鑑別された紙幣２０は、紙幣制御部１０１により計数され、図中矢印Ａで示される方向に一時保留部１０５へと搬送される。すなわち、図３の下段に示されるように、搬送路４０１は停止することなく紙幣２０を搬送し、紙幣２０は一時保留部１０５に収納される。
【００４３】
一方、最初の鑑別において、鑑別部１０４により紙幣２０が入金リジェクト紙幣であるとする所定の鑑別結果が得られた場合の入金計数処理を、図４を参照して説明する。なお、入金計数処理を開始し最初の鑑別を行うまでの処理フローを、図４の上段と次段とに示すが、このフローは上述の説明と同様であるため、ここでは最初の鑑別後からの処理フローのみを説明する。また、以下の説明においても、図中矢印Ａで示される方向及び図中矢印Ｂで示される方向は、これまでの説明と同様である。
【００４４】
最初の鑑別において、鑑別部１０４により紙幣２０が入金リジェクト紙幣であるとする鑑別結果が得られた場合には、鑑別部１０４は紙幣制御部１０１に鑑別結果を通知する。そして、図４の次々段に示されるように、通知を受けた紙幣制御部１０１は搬送路４０１の停止を指示する。すなわち、鑑別部１０４により、紙幣２０が入金リジェクト紙幣であるとする所定の鑑別結果が得られた場合には、紙幣制御部１０１は搬送路４０１の停止を指示する。なお、先に説明したように、紙幣２０が入金リジェクト紙幣であるとする所定の鑑別結果の中には、紙幣２０が紙幣鑑別起動タイミング位置Ｐ７０１から紙幣鑑別結果取得タイミング位置Ｐ７０２に到達するまでの間である所定の時間内に鑑別部１０４が鑑別を完了することができなかった場合も含まれる。
【００４５】
次に、搬送路４０１が停止を完了するまでの間に、鑑別部１０４は当該紙幣２０の再鑑別を行う。詳細には、鑑別部１０４は、既に得られた当該紙幣２０にかかる読取情報を再処理して、当該紙幣２０に対して入金受入紙幣であるか入金リジェクト紙幣であるかを再鑑別し、再鑑別結果を紙幣制御部１０１に通知する。通知を受けた紙幣制御部１０１は、再鑑別の結果に基づいて搬送先を再決定する。この際、紙幣制御部１０１は、再決定した搬送先を紙幣制御部１０１の有する記憶部に記憶する。
【００４６】
再鑑別において、鑑別部１０４により紙幣２０が入金受入紙幣であるとする再鑑別結果が得られた場合には、図３の下段に示すように、紙幣制御部１０１は、搬送路４０１を図中矢印Ａで示される方向に搬送するように制御し、搬送路４０１により紙幣２０は一時保留部１０５へ搬送され、収納される。
【００４７】
一方、再鑑別において、鑑別部１０４により紙幣２０が入金リジェクト紙幣であるとする再鑑別結果が得られた場合には、再鑑別結果に基づいて、紙幣制御部１０１は、当該紙幣２０の搬送先を収容器２０１に再決定する。図４の下段に示すように、紙幣制御部１０１は、搬送路４０１を図中矢印Ｂで示される方向に搬送するように制御し、搬送路４０１により紙幣２０は収容器２０１へ搬送され、収容器２０１に収納される。この際、当該入金リジェクト紙幣２０よりも後方にあった紙幣も収容器２０１に収容される。収容器２０１に収納された紙幣２０は顧客へ返却される。なお、搬送路４０１が停止を完了するまでの間に鑑別部１０４による再鑑別を完了することができない場合には、鑑別部１０４は、当該紙幣２０を入金リジェクト紙幣であると再鑑別する。また、顧客に返却された入金リジェクト紙幣は、顧客により入出金部１３に再投入されることで、鑑別を再度行うことが可能である。
【００４８】
ところで、従来の紙幣処理装置の入金計数処理においては、鑑別を所定の時間内に完了させることができなかった紙幣については、再鑑別を行うことなく、入金リジェクト紙幣として顧客に返却していた。従って、入金計数処理にかかる時間を短縮するために搬送路の搬送速度を速くした場合には、それに伴い鑑別にかける時間が短くなるため、鑑別を所定の時間内に完了することができず、入金リジェクト紙幣であると鑑別される紙幣が増えることとなってしまっていた。
【００４９】
そこで、他の従来の紙幣処理装置の入金計数処理においては、入金リジェクト紙幣の増加を抑えようと、入金リジェクト紙幣と鑑別された紙幣を鑑別部に再度戻して再鑑別を行っていた。さらに、紙幣を鑑別部に戻す際には、紙幣は、紙幣処理装置内の所定のブロックを通過し、鑑別部に戻る場合もある。こうした場合、鑑別にかかる時間だけでなく紙幣を鑑別部に搬送する時間も必要とするため、入金計数処理にかかる時間が大幅に増加してしまう。
【００５０】
それに対して、本実施形態によれば、紙幣２０の再鑑別を行うために搬送路４０１を停止させるが、当該紙幣２０を一時保留部１０５や収容器２０１等の紙幣を収納する箇所を通過させて鑑別部１０４に再度戻すことがないため、紙幣を搬送するための時間を必要としない。従って、入金計数処理にかかる時間の増加を抑えることができる。さらに、本実施形態によれば、鑑別部１０４により既に読み取られた読取情報を用いて再鑑別を行うため、再鑑別を搬送路４０１が停止を完了するまでの短い間に行うことができ、再鑑別を行っても、入金計数処理にかかる時間の増加を抑えることができる。
【００５１】
すなわち、本実施形態によれば、入金リジェクト紙幣の増加を抑えるため再鑑別を行った場合であっても、入金計数処理にかかる時間の増加を抑えることできる。また、本実施形態によれば、顧客に返却される入金リジェクト紙幣の増加を抑えることができることから、顧客による収容器２０１への紙幣の再投入の回数を抑えることができる。
【００５２】
図５は、入金計数処理における、再鑑別後の鑑別部１０４の制御タスク８０１、８０２と搬送路４０１の制御タスク８１１、８１２を示したものである。図５の左端が最初の鑑別の時点を示し、右方向に行くにしたがって時間が経過する。また、上段は、再鑑別の際に紙幣制御部１０１が紙幣２０を入金受入紙幣であると鑑別した場合の鑑別部１０４の制御タスク８０１であり、次段は、同様の場合の搬送路４０１の制御タスク８１１である。次々段は、再鑑別の際に紙幣制御部１０１が紙幣２０を入金リジェクト紙幣と鑑別した場合の鑑別部１０４の制御タスク８０２であり、下段は、同様の場合の搬送路４０１の制御タスク８１２である。
【００５３】
鑑別部１０４は最初の鑑別を開始し、鑑別の間、搬送路４０１は紙幣２０を第１の方向（図３及び図４中においては、矢印Ａで示される方向）に搬送する。そして、最初の鑑別において、鑑別部１０４により紙幣２０が入金リジェクト紙幣であると鑑別した場合には、紙幣制御部１０１は搬送路４０１の停止を指示し、鑑別部１０４は再鑑別を開始する。
【００５４】
搬送路４０１が停止を完了するまでの間に紙幣２０が入金受入紙幣であるとする再鑑別結果が得られた場合の鑑別部１０４及び搬送路４０１の制御タスク８０１、８１１が、上段及び次段である。鑑別部１０４が、紙幣２０が入金受入紙幣であると鑑別した後、搬送路４０１は、再鑑別された紙幣２０を第１の方向に一時保留部１０５へ搬送し、さらに、次の紙幣を第１の方向に収容器２０１から鑑別部１０４へ搬送する。鑑別部１０４は、次の紙幣が紙幣鑑別起動タイミング位置Ｐ７０１に到達すると、次の紙幣に対して鑑別を開始する。
【００５５】
一方、搬送路４０１が停止を完了するまでの間に鑑別部１０４により紙幣２０が入金リジェクト紙幣であるする再鑑別結果が得られた場合の鑑別部１０４及び搬送路４０１の制御タスク８０２、８１２が、次々段及び下段である。鑑別部１０４が、紙幣２０が入金リジェクト紙幣であると鑑別した後、搬送路４０１は、再鑑別された紙幣２０を第２の方向（図４中においては、矢印Ｂで示される方向）に収容器２０１へ搬送する。さらに、再鑑定された紙幣２０が収容器２０１へ収納された後には、搬送路４０１は一度停止し、次いで、次の紙幣を第１の方向に収容器２０１から鑑別部１０４へ搬送する。なお、鑑別部１０４は、次の紙幣が紙幣鑑別起動タイミング位置Ｐ７０１に到達するまで、鑑別を停止し、次の紙幣がその位置に到達すると次の紙幣に対して鑑別を開始する。
【００５６】
＜入金収納処理＞
続いて、入金収納処理を説明する。紙幣制御部１０１は、入出金部１３の収容器２０１から全ての紙幣を取り込み終えると、入出金部１３から取り込んだ紙幣の金種及び枚数の集計結果を基に入金額を算出すると共に、所定の操作指示画面を操作表示部１６に表示し、この入金額を顧客に提示すると共に入金処理を継続するか否かを顧客に選択させる。
【００５７】
ここで、紙幣制御部１０１は、顧客により入金処理の中止が指示された場合、紙幣制御部１０１は、一時保留部１０５に保留している全ての紙幣を搬送路４０１により順次入出金部１３へ戻し、シャッタ２０２を解放して顧客に返却する。
【００５８】
一方、紙幣制御部１０１は、顧客により入金処理の継続が指示された場合、入金収納処理を開始する。紙幣制御部１０１の有する記憶部に記憶された各紙幣の搬送先に基づき、搬送路４０１は、一時保留部１０５から１枚ずつ搬送された紙幣を搬送先として記憶された紙幣収納庫１０８に搬送する。そして、各紙幣は搬送先として記憶された紙幣収納庫１０８に収納される。
【００５９】
［３−２．出金処理］
次に、顧客が紙幣処理装置１から紙幣を出金する出金処理を行う場合について説明する。紙幣処理装置１は、主制御部１７の制御に基づき、指定された金額に応じた金種及び枚数の紙幣を出金する出金処理を行う。
【００６０】
図６を参照しながら出金処理を説明する。以下の説明においては、図中矢印Ｃで示される方向は、紙幣収納庫１０８から収容器２０１へ向かう方向を示し、図中矢印Ｄで示される方向は、鑑別部１０４からリジェクト庫１０７へ向かう方向を示す。
【００６１】
紙幣制御部１０１は、まず顧客から操作表示部１６を介して出金額を含む所定の操作入力を受け付け、出金額に応じた紙幣の金種及び枚数を決定する。続いて、図６の上段に示されるように、紙幣制御部１０１は、決定した金種及び枚数に応じて、各紙幣収納庫１０８内に収納されている紙幣２０を１枚ずつ分離しながら繰り出し、搬送路４０１に順次受け渡す。
【００６２】
次に、図６の次段に示されるように、紙幣２０は図中矢印Ｃで示される方向に鑑別部１０４へ搬送され、紙幣２０が紙幣鑑別起動タイミング位置Ｐ７０１に到達すると、鑑別部１０４はその内部にあるセンサを用いた紙幣２０の読取を開始する。そして、鑑別部１０４は、読み取った読取情報に基づき、紙幣２０について、正常な紙幣として顧客に出金することが可能な出金可能な紙幣であるか、或いは正常な紙幣として認識できないために顧客に出金ができないリジェクト紙幣であるかを鑑別する。そして、紙幣２０が紙幣鑑別結果取得タイミング位置Ｐ７０２に到達すると、鑑別部１０４は鑑別結果を紙幣制御部１０１に通知する。通知を受けた紙幣制御部１０１は鑑別結果に基づいて紙幣２０の搬送先を決定する。なお、紙幣２０が紙幣鑑別起動タイミング位置Ｐ７０１から紙幣鑑別結果取得タイミング位置Ｐ７０２に到達するまでの間である所定の時間内に鑑別部１０４が鑑別を完了することができない場合については、鑑別部１０４は当該紙幣２０をリジェクト紙幣であると鑑別する。
【００６３】
紙幣制御部１０１は、鑑別部１０４により出金可能な紙幣と鑑別された紙幣２０については、当該紙幣２０の搬送先を収容器２０１に決定する。そして、図６の下段に示されるように、搬送路４０１は、停止することなく、当該紙幣２０を図中矢印Ｃで示される方向に収容器２０１へ搬送する。次いで、紙幣制御部１０１は、必要な紙幣を収容器２０１に収納させると、入出金部１３のシャッタ２０２を開放させて顧客に当該紙幣２０を取り出させる。
【００６４】
一方、最初の鑑別において、鑑別部１０４により紙幣２０がリジェクト紙幣であるとする所定の鑑別結果が得られた場合の出金処理を、図７を参照して説明する。なお、出金処理を開始し鑑別部１０４が最初の鑑別を行うまでのフローを、図７の上段と次段とに示すが、上述の説明と同様であるため、ここでは最初の鑑別後からのフローのみを説明する。また、以下の説明においても、図中矢印Ｃで示される方向及び図中矢印Ｄで示される方向は、これまでの説明と同様である。
【００６５】
最初の鑑別において、鑑別部１０４により紙幣２０がリジェクト紙幣であるとする鑑別結果が得られた場合には、鑑別部１０４は紙幣制御部１０１に鑑別結果を通知する。そして、図７の次々段に示されるように、通知を受けた紙幣制御部１０１は搬送路４０１の停止を指示する。すなわち、鑑別部１０４により紙幣２０がリジェクト紙幣であるとする所定の鑑別結果が得られた場合には、紙幣制御部１０１は搬送路４０１の停止を指示する。なお、先に説明したように、紙幣２０がリジェクト紙幣であるとする鑑別結果の中には、紙幣２０が紙幣鑑別起動タイミング位置Ｐ７０１から紙幣鑑別結果取得タイミング位置Ｐ７０２に到達するまでの間である所定の時間内に鑑別部１０４が鑑別を完了することができなかった場合も含まれる。
【００６６】
そして、搬送路４０１が停止を完了するまでの間に、鑑別部１０４は再鑑別を行う。詳細には、鑑別部１０４は、既に読み取られた読取情報を用いて、出金可能紙幣であるかリジェクト紙幣であるかを再鑑別し、その再鑑別結果を紙幣制御部１０１に通知する。通知を受けた紙幣制御部１０１は、再鑑別結果に基づいて当該紙幣２０の搬送先を再決定する。
【００６７】
再鑑別において、鑑別部１０４により紙幣２０が出金可能紙幣であるとする再鑑別結果が得られた場合には、再鑑別結果に基づいて、紙幣制御部１０１は搬送先を収容器２０１に再決定する。そして、図６の下段に示すように、紙幣制御部１０１は搬送路４０１を図中矢印Ｃで示される方向に搬送するように制御し、搬送路４０１により紙幣２０は収容器２０１へ搬送され、収納される。
【００６８】
一方、再鑑別において、鑑別部１０４により紙幣２０がリジェクト紙幣であるとする再鑑別結果が得られた場合には、再鑑別結果に基づいて、紙幣制御部１０１は搬送先をリジェクト庫１０７に再決定する。そして、図７の下段に示すように、紙幣制御部１０１は搬送路４０１を図中矢印Ｄで示される方向に搬送するように制御し、搬送路４０１により紙幣２０はリジェクト庫１０７へ搬送され、収納される。なお、搬送路４０１が停止を完了するまでの間に鑑別部１０４による再鑑別を完了することができない場合には、鑑別部１０４は当該紙幣２０をリジェクト紙幣であると再鑑別する。
【００６９】
本実施形態によれば、紙幣２０の再鑑別を行うために搬送路４０１を停止させるが、当該紙幣２０を一時保留部１０５や収容器２０１等の紙幣を収納する箇所を通過させて鑑別部１０４に再度戻すことがないため、紙幣を搬送するための時間を必要としない。従って、出金処理にかかる時間の増加を抑えることができる。さらに、本実施形態によれば、鑑別部１０４により既に読み取られた読取情報を用いて再鑑別を行うため、再鑑別を搬送路４０１が停止を完了するまでの短い間に行うことができ、出金処理にかかる時間の増加を抑えることができる。
【００７０】
すなわち、本実施形態によれば、リジェクト紙幣の増加を抑えるため再鑑別を行った場合であっても、出金処理にかかる時間の増加を抑えることできる。また、本実施形態によれば、リジェクト紙幣の増加を抑えることができるため、必要な紙幣を収容器２０１に収納するために各紙幣収納庫１０８内に収納されている紙幣を繰り出す回数の増加を抑えることができる。
【００７１】
出金処理における鑑別部１０４の制御タスク８０１、８０２と搬送路４０１の制御タスク８１１、８１２は、入金計数処理でのタスクと同様に図５に示される。なお、これらのタスク８０１、８０２、８１１、８１２については、入金計数処理でのタスクと同様の説明となるため、ここでは説明を省略する。ただし、出金処理においては、図５の第１の方向は、図６及び図７中の矢印Ｃで示される方向を示し、図５の第２の方向は、図７中の矢印Ｄで示される方向を示す。
【００７２】
［４．効果］
従来の紙幣処理装置の紙幣処理においては、鑑別を所定の時間内に完了させることができなかった紙幣については、再鑑別を行うことなく、入金リジェクト紙幣として顧客に返却、もしくは、リジェクト紙幣としてリジェクト庫に収納していた。従って、紙幣処理にかかる時間を短縮するために搬送路の搬送速度を速くした場合には、それに伴い鑑別にかける時間が短くなるため、鑑別を所定の時間内に完了することができず、入金リジェクト紙幣及びリジェクト紙幣であると鑑別される紙幣が増えることとなってしまっていた。
【００７３】
そこで、他の従来の紙幣処理装置においては、リジェクト紙幣等の増加を抑えようと、リジェクト紙幣等と鑑別された紙幣を、紙幣処理装置の所定のブロックを通過させて鑑別部に再度戻し、再鑑別を行っていた。この場合、鑑別にかかる時間だけでなく紙幣を鑑別部に搬送する時間も必要とするため、紙幣処理にかかる時間が大幅に増加してしまう。
【００７４】
それに対して、本実施形態によれば、紙幣の再鑑別を行うために搬送路４０１を停止させるが、当該紙幣を一時保留部１０５や収容器２０１等の紙幣を収納する箇所を通過させて鑑別部１０４に再度戻すことがないため、紙幣を搬送するための時間を必要としない。従って、紙幣処理にかかる時間の増加を抑えることができる。さらに、本実施形態によれば、鑑別部１０４により既に読み取られた読取情報を用いて再鑑別を行うため、再鑑別を搬送路４０１が停止を完了するまでの短い間に行うことができ、再鑑別を行っても、紙幣処理にかかる時間の増加を抑えることができる。
【００７５】
すなわち、本実施形態によれば、リジェクト紙幣等の増加を抑えるため再鑑別を行った場合であっても、紙幣処理にかかる時間の増加を抑えることできる。
【００７６】
なお、これまで説明した実施形態は、紙幣に対する処理を行う紙幣処理装置について説明したが、紙幣処理装置に限るものでなく、硬貨の鑑別処理や他の媒体を選別して、選別結果に応じて搬送先を決定する装置であれば、本実施形態を適用することができる。
【００７７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７８】
１  紙幣取引装置
１２  筐体
１３  入出金部
１４  カード投入口
１５  レシート発行口
１６  操作表示部
１７  主制御部
１８  紙幣入出金機
２０  紙幣
１０１  紙幣制御部
１０３  搬送部
１０４  鑑別部
１０５  一時保留部
１０６  偽券庫
１０７  リジェクト庫
１０８  紙幣収納庫
２０１  収容器
２０２  シャッタ
３０２  入出金搬送路
４０１  搬送路
４０２、５０２  ローラ
４０３  切替部
５０１  部品
６０３  イメージセンサ
６０４  真偽センサ
８０１、８０２  鑑別部の制御タスク
８１１、８１２  搬送路の制御タスク
Ｐ７０１  紙幣鑑別起動タイミング位置
Ｐ７０２  紙幣鑑別結果取得タイミング位置
【図１】
2016081170.tif 000003
【図２】
2016081170.tif 000004
【図３】
2016081170.tif 000005
【図４】
2016081170.tif 000006
【図５】
2016081170.tif 000007
【図６】
2016081170.tif 000008
【図７】
2016081170.tif 000009